(57)【要約】【課題】ロール状に巻き上げた廃棄形態の安定的な維持が可能な尿取りパッドを提供すること。【解決手段】尿取りパッド１０は、表面シート１１、裏面シート１２及び吸収体１３を具備し、アウターの内側に配されて使用される。表面シート１１が内側になるようにパッド１０をその長手方向に沿って巻き上げた廃棄状態において表面シート１１に係合し、且つ該廃棄状態を維持し得る係合部材１７を、パッド１０の長手方向に延びるように、パッド１０の長手方向中央域の裏面シート１２上に配した。係合部材１７の長さを、パッド１０の長手方向全長に対して少なくとも１／５となした。【選択図】図４
2008237231.tif 000002
【特許請求の範囲】
【請求項１】
表面シート、裏面シート及び両シート間に介在された吸収体を具備し、アウターの内側に配されて使用される尿取りパッドにおいて、
表面シートが内側になるように該パッドをその長手方向に沿って巻き上げた廃棄状態において該表面シートに係合し、且つ該廃棄状態を維持し得る係合部材を、該パッドの長手方向に延びるように、該パッドの長手方向中央域の裏面シート上に配し、
該係合部材の長さを、該パッドの長手方向全長に対して少なくとも１／５となした尿取りパッド。
【請求項２】
前記係合部材として、前記表面シートとの係合力が５ｃＮ／１０ｍｍ以上のものを用いた請求項１記載の尿取りパッド。
【請求項３】
前記パッドの長手方向の前部域、又は前部域及び後部域の裏面シート上に、該パッドをアウターに固定するための固定手段を配し、また前記係合部材として、該パッドとアウターとの固定を補助的に行うことが可能な部材を用いた請求項１又は２記載の尿取りパッド。
【請求項４】
前記係合部材を、前記パッドの長手方向に延びるように複数個並列配置した請求項１ないし３の何れかに記載の尿取りパッド。
【発明の詳細な説明】
【技術分野】
【０００１】
本発明は、アウターの内側に配されて使用される尿取りパッドに関する。
【背景技術】
【０００２】
尿の処理に伴う経済的、労力的な負担の軽減を目的として、近年、尿取りパッドを使用し、これを使い捨ておむつの内部に装着することが行われている。尿取りパッドは、例えば、使い捨ておむつの表面シートの上に配置された状態で、老人又は病人等が失禁した尿を吸収保持することに用いられている。排泄される尿の量が比較的少量の場合には、尿取りパッドのみを交換するだけで足り、おむつの交換は不要である。つまり、尿取りパッドを使用する目的は、使い捨ておむつの交換頻度を低減することにある。
【０００３】
尿取りパッドを使用するもう１つの目的は、夜間のように長時間にわたり使い捨ておむつを着用する状態にあり、排泄される尿の量が多いために、おむつだけでは尿を吸収しきれない場合等に、おむつと併用することで、おむつによる尿の吸収を補助することにある。このため、尿取りパッドのなかには、これを使い捨ておむつにしっかりと固定するための手段である粘着テープが取り付けられているものがある。
【０００４】
尿取りパッドを交換する場合には、使い捨ておむつから尿取りパッドを剥がし取り廃棄する。この場合、使用済みの尿取りパッドは、テープタイプやパンツタイプの使い捨ておむつとは異なり、丸めて廃棄することができない。即ち、テープタイプのおむつは、丸めた後に最後にテープ部を裏面シートに貼り付けることで丸めた状態を維持できる。パンツタイプのおむつの場合は、通常、廃棄テープが別個におむつに取り付けられており、この廃棄テープを使用して、丸めた状態を維持できる。これに対し、これまでの尿取りパッドは、ホットメルト粘着剤からなるずれ止めテープが、パッドの腹側の裏面シート側、又は腹側と背側の裏面シート側に取り付けられているだけである。このずれ止めテープは、パッドの廃棄を目的としたものではないので、丸めた状態のパッドを、このずれ止めテープを利用して固定し廃棄することはできない。また、パッドのほぼ全面に粘着剤からなるずれ止めテープを付けた場合は、丸めた状態で廃棄することはできるが、それを保護する剥離シートが大きくなり、多量のゴミが発生する等、扱いづらくなる。また、粘着剤からなるずれ止めテープのみを用いると、パッドの使用中に粘着面が不織布の構成繊維や尿で汚れてしまい、うまく接着せず、廃棄できない問題もある。
【０００５】
特許文献１には、平面ハート形状のパッドに、固定テープと、止着用及び廃棄用の兼用テープとを備えた男性用軽失禁パッドが記載されている。この止着用及び廃棄用の兼用テープは、パッドを丸めて陰茎を包むため、及びパッドを廃棄するための兼用テープである。しかしこのテープは、パッドを表面シート側に丸めて廃棄するために用いられるものではない。また、このパッドは、その形状が男性用軽失禁パッド特有のものである。
【０００６】
特許文献２には、尿取りパッドを丸めて廃棄するときに、丸めた状態の尿取りパッドをゴムバンドで固定することが記載されている。ゴムバンドは、尿取りパッドのバックシート面に２点で接着固定され、これによってゴムバンドのすべり摩擦力を利用してずれ防止機能を発現させ、パッドの廃棄形態を維持するようにしている。したがってパッドを丸めただけで廃棄形態が維持されるのではなく、廃棄形態を維持するためはゴムバンドで固定する操作が必要となり、その分だけ手間がかかる。また、ゴムバンドのずれ止め性能は不充分である。
【０００７】
特許文献３ には、股間対応区域を避けて分割したずれ止め部を有し、確実にずれ止め部をアウターに固定し、且つ接着剤等が股下で幅方向に付着しあうことのないインナー物品のずれ防止構造が記載されている。このずれ防止構造は、インナー物品のずれ防止が目的であり、廃棄までは考慮されていない。したがって、同文献に記載される分割ずれ止めテープを、廃棄テープとして利用することは難しい。
【０００８】
特許文献４には、弾性変形による伸縮性を廃棄テープに付与することにより、物品の処理を簡単に行い得る廃棄テープが記載されている。この廃棄テープは、物品の廃棄のみを目的として使用されるものであり、アウターへのずれ止め及び物品の廃棄の双方を目的とするものではない。
【特許文献１】特開２００３−５２７２９号公報
【特許文献２】特開２００２-１１９５２８号公報
【特許文献３】特開２００５−１４３８７８号公報
【特許文献４】特開２００２−３２０６３７号公報
【発明の開示】
【発明が解決しようとする課題】
【０００９】
したがって本発明の目的は、前述した従来技術が有する欠点を解消し得る尿取りパッドを提供することにある。
【課題を解決するための手段】
【００１０】
本発明は、表面シート、裏面シート及び両シート間に介在された吸収体を具備し、アウターの内側に配されて使用される尿取りパッドにおいて、
表面シートが内側になるように該パッドをその長手方向に沿って巻き上げた廃棄状態において該表面シートに係合し、且つ該廃棄状態を維持し得る係合部材を、該パッドの長手方向に延びるように、該パッドの長手方向中央域の裏面シート上に配し、
該係合部材の長さを、該パッドの長手方向全長に対して少なくとも１／５となした尿取りパッドを提供するものである。
【発明の効果】
【００１１】
本発明によれば、使用後のパッドをその長手方向に沿って表面シート側に巻き上げるだけの簡単な操作で、パッドを廃棄形態にすることができ且つその廃棄形態が維持される。
【発明を実施するための最良の形態】
【００１２】
以下本発明を、その好ましい実施形態に基づき図面を参照しながら説明する。図１には、本発明の尿取りパッドの一実施形態の斜視図が示されている。図２には、図１のパッドにおける長手方向中央域のII−II線断面図が示されている。図１及び図２に示す本実施形態の尿取りパッド１０は、表面シート１１、裏面シート１２及び両シート間に介在された吸収体１３を具備しており、平面視において実質的に縦長の矩形状をしている。パッド１０の装着状態において、表面シート１１は着用者の肌に近い側に位置し、裏面シート１２は着用者の肌から遠い側に位置する。
【００１３】
パッド１０における表面シート１１の側には、パッド１０の左右両側部に、パッド１０の長手方向に延びる一対の防漏カフ１４，１４が配されている。防漏カフ１４は、その長手方向に延びる二辺のうち、パッド１０の幅方向外方寄りに位置する辺側が表面シート１１と接合されて固定端１４ａとなっている。一方、パッド１０の幅方向内方寄りに位置する辺側は、自由端１４ｂになっている。自由端１４ｂには、該自由端１４ｂに沿って糸ゴム等の弾性部材１５が伸長状態で固定されている。パッド１０を引き伸ばした状態においては、防漏カフ１３は倒伏して表面シート１１の左右両側部を覆っているが、パッド１０が着用された状態においては、弾性部材１５が収縮して、防漏カフ１４は表面シート１１から上方に起立する。これによって、尿等の排泄物がパッド１０の横方向から漏れ出ることに対する障壁が形成される。
【００１４】
パッド１０における表面シート１１としては、従来この種の尿取りパッドに用いられてきた材料と同種のものを特に制限なく用いることができる。具体的には、液透過性を有するシート材料を用いることができる。その例としては、各種不織布や穿孔フィルムなどが挙げられる。後述する係合部材１７との係合のしやすさを考慮すると、表面シート１１としては不織布を用いることが好ましい。
【００１５】
表面シート１１として用いられる不織布としては、各種の方法により製造されたものを用いることができる。例えばエアスルー不織布、スパンボンド不織布、スパンレース不織布、ケミカルボンド不織布、ニードルパンチ不織布、メルトブローン不織布、これらの不織布の複合体などが挙げられる。不織布を構成する繊維が親水性でない場合には、不織布を製造する前の繊維に親水化処理を施しておくか、又は製造された不織布に親水化処理を施すことが、液透過性の向上の観点から好ましい。不織布を構成する繊維としては、例えばポリエチレンやポリプロピレン等のポリオレフィン系繊維、ポリエチレンテレフタレートやポリブチレンテレフタレート等のポリエステル系繊維、ポリアミド系繊維、アクリル系繊維、セルロース系繊維などが挙げられる。
【００１６】
パッド１０における裏面シート１２としては、例えば液不透過性又は撥水性のシートや液透過性のシートを用いることができる。裏面シート１２が液不透過性又は撥水性である場合には、パッド１０に排泄された尿等は、主としてパッド１０に備えられた吸収体１４に吸収される。裏面シート１２が液透過性である場合には、パッド１０に排泄された尿等は、その一部がパッド１０に備えられた吸収体１４に吸収される。裏面シート１２を透過した尿等は、パッド１０と併用される使い捨ておむつ等のアウターに吸収される。液不透過性又は撥水性のシートとしては、合成樹脂製のフィルム、スパンボンド−メルトブローン−スパンボンド（ＳＭＳ）不織布、ＳＭＭＳ不織布などが挙げられる。液透過性のシートとしては、表面シート１１に用いられる材料として先に述べた材料と同種のものを用いることができる。
【００１７】
パッド１０における吸収体１３は、吸液性繊維材料や、吸液性繊維材料と高吸収性ポリマーとの混合物、吸収紙と高吸収性ポリマーとが一体化されたシート（例えば本出願人の先の出願に係る特開平８−２４６３９５号公報）などから構成される。これらは、例えばティッシュペーパー等の吸収紙で包まれて、その保形性が高められてもよい。吸液性繊維材料としては、例えばフラッフパルプや親水性の長繊維を一方向に引き揃えてなるトウなどが挙げられる。
【００１８】
パッド１０はアウターと併用され、該アウターの内側に配されて使用されるものである。本発明に言うアウターとは、それ自体だけで身体に装着・固定できる着用物品を広く包含する。その例としては、使い捨ておむつ、おむつカバー、布おむつ等が挙げられる。パッド１０は、その長手方向の中央域が、着用者の股下部（排泄部位）に位置するようにアウターの内側に配される。アウターの内側に配されたパッド１０が、その装着中にアウター内で位置ずれを起こさないようにする観点から、図１に示すように、パッド１０の裏面シート１２上には、パッド１０をアウターに固定するための固定手段１６が配されている。固定手段１６は、例えば裏面シート１２上に塗布された粘着剤や、面ファスナのフック部材などから構成することができる。固定手段１６が粘着剤からなる場合には、粘着剤の粘着性が損なわれないようにするために、パッド１０の使用前の状態においては、粘着剤の表面に剥離紙が貼り付けられている。
【００１９】
本実施形態においては、固定手段１６はパッド１０における長手方向の前部域に一箇所設けられている。尤も、固定手段１６を設ける位置はこれに限られず、例えばパッド１０における長手方向の後部域に設けてもよく、或いは、前部域及び後部域のそれぞれに一箇所ずつ設けてもよい。
【００２０】
尿等の排泄物を吸収した後のパッド１０は、アウターの内側から取り外され廃棄される。一方、アウターは、その汚れがそれほど甚だしくない場合には、パッド１０を新しいものと取り替えて、引き続き使用される。パッド１０を廃棄する場合には、図３（ａ）及び（ｂ）に示すように、表面シート１１が内側になるようにパッド１０をその長手方向の一端から他端に向かって長手方向に沿ってロール状に巻き上げて、ロール状の廃棄形態を形成する。本実施形態のパッド１０は、この巻き上げ操作を行うだけで、ロール状の廃棄形態が維持される点に特徴を有する。その詳細は次のとおりである。
【００２１】
パッド１０においては、図２及び図４に示すように、その長手方向中央域の裏面シート１２上に係合部材１７が配されている。係合部材１７は、表面シート１１が内側になるようにパッド１０をその長手方向に沿って巻き上げた廃棄状態において表面シート１１に係合し、且つ該廃棄状態を維持し得るものである。係合部材１７が配されたパッド１０を完全に巻き上げた状態においては、図３（ｃ）に示すように、係合部材１７が表面シート１１と対向・当接して、係合部材１７が表面シート１１に係合する。その結果、ロール状に巻き上げられた廃棄形態が簡単に維持される。
【００２２】
上述のとおり、本実施形態においては、パッド１０の廃棄形態を、係合部材１７の係合力で維持している。該廃棄形態を、粘着剤を用いた粘着力等を利用して維持することも可能であるが、その場合には、パッドの使用中に粘着剤が繊維や尿で汚れてしまい、粘着力が損なわれてしまうおそれがある。したがって本実施形態においては、そのおそれがない係合力を利用して廃棄形態を維持することとしている。
【００２３】
図３（ｃ）に示す廃棄形態を確実に維持する観点から、係合部材１７として、表面シート１１との係合力が５ｃＮ／１０ｍｍ以上、特に８ｃＮ／１０ｍｍ以上、とりわけ１０ｃＮ／１０ｍｍ以上のものを用いることが好ましい。係合力の上限値に特に制限はなく、高ければ高いほど好ましいが、上限値が２０ｃＮ／１０ｍｍ程度に高ければ、ロール状に巻き上げられた廃棄形態を確実に維持することができる。係合力は、係合部材１７の形状や、係合部材１７の幅を調整することでコントロールできる。
【００２４】
前記の係合力は次の方法で測定される。パッド１０から５０ｍｍ幅×１５０ｍｍ長の大きさで表面シートを切り出し、これを測定片とする。この場合、表面シートの下側に吸収紙等が接着されているときには、該吸収紙等をつけたまま測定片を切り出してよい。パッドが小さくて、前記のサイズで測定片を切り出せない場合には、最大長さ及び／又は最大幅を測定片の大きさとする。これとは別に、係合部材を１０ｍｍ幅×１５０ｍｍ長の大きさに切り出す。そして、測定片の長さ方向と係合部材の長さ方向とを一致させ、両者を重ね合わせる。その状態下に、２５ｍｍ幅の１ｋｇローラーを１往復させて両者を係合させる。次いで、測定片の一端及び係合部材の一端を引張試験機のチャックに取り付ける。チャック間距離は５０ｍｍとする。チャック距離間が２００ｍｍになるまで速度３００ｍｍ／ｍｉｎで両者を剥離する。そこで得られた極大平均荷重（ｃＮ／１０ｍｍ）を係合力とする。
【００２５】
係合部材１７は、パッド１０の少なくとも長手方向中央域に位置している。この位置に係合部材１７を配することで、パッド１０の前部域から後部域に向けて、及び後部域から前部域に向けての何れの方向にパッド１０を巻き上げても、首尾良く廃棄形態を維持することが可能になる。また、以下に述べる必要最小限の長さの係合部材１７でパッド１０の廃棄形態を維持することができる。なお、係合部材１７は、パッド１０の少なくとも長手方向中央域に位置していればよく、これに加えてパッド１０の長手方向前部域及び／又は後部域にまで延びていてもよい。
【００２６】
係合部材１７は、パッド１０の幅方向中央部において、パッド１０の長手方向に一条延びている。係合部材１７の長さはパッド１０の長手方向全長に対して少なくとも１／５であることが必要である。係合部材１７の長さがこれによりも短い場合には、パッド１０をその長手方向の一端から他端に向かって巻き上げた場合に、巻き上げの完了状態において、係合部材１７が表面シート１１と対向・当接しない場合が生じるおそれがある。係合部材１７の長さを、パッド１０の長さと同じにすれば、巻き上げの完了状態において、係合部材１７が表面シート１１と確実に対向・当接する。しかし、その分だけ係合部材１７の使用量が多くなり経済的でなくなる。したがって係合部材１７の長さは、パッド１０の長さに対して１／５〜３／５、特に１／５〜２／５であることが、経済性の観点、及び巻き上げの完了状態において、係合部材１７が表面シート１１と確実に対向・当接する観点から好ましい。
【００２７】
係合部材１７は、パッド１０の長手方向に連続して延びている。しかし係合部材１７の形状はこれに限られず、パッド１０の廃棄形態を維持可能である範囲において、断続的に延びていてもよい。係合部材１７が断続的に延びている場合、上述した係合部材１７の長さとは、個々の係合部材の長さを意味するのではなく、個々の係合部材の集合体全体としての見掛けの長さを意味する。また、係合部材１７は、直線的に延びているが、これに代えて又はこれに加えて、波形の係合部材を、パッド１０の長手方向に延びるように配してもよい。
【００２８】
係合部材１７の幅は特に制限はないが、過度に幅を大きくすると、係合部材１７の剛性が高くなり過ぎてパッド１０の巻き上げ操作を行いづらくなることがある。また後述するように、係合部材１７が、パッド１０とアウターとの固定の補助手段としての機能を有する場合には、パッド１０のアウターへの固定力が高くなり過ぎて、パッド１０の廃棄時にパッド１０をアウターから剥がしづらくなることがある。これらの観点から、係合部材１７は、図４に示すように細長い形状のものであることが好ましい。係合部材１７の具体的な構造にもよるが、係合部材１７の幅は、図４に示す固定手段１６の幅よりも狭いことが好ましく、特に５〜１５ｍｍ、とりわけ１０〜１５ｍｍであることが好ましい。
【００２９】
係合部材１７としては、表面シート１１と係合可能な材料が用いられる。表面シート１１が例えば不織布等の繊維材料のシートからなる場合には、係合部材１７として面ファスナのフック部材を用いることができる。面ファスナのフック部材を用いる場合には、鉤形状やマッシュルーム形状、矢尻形状のものを用いることができる。
【００３０】
係合部材１７は、パッド１０とアウターとの固定を補助的に行うことが可能であることが好ましい。これによってパッド１０をアウターの内側に配した場合に、固定手段１６による固定と相まって、パッド１０の位置ずれが一層起こりにくくなる。この目的のために、アウターの内側が繊維材料のシートからなる場合には、係合部材１７は、上述した面ファスナのフック部材から構成されていることが好ましい。係合部材１７によるパッド１０とアウターとの固定は、固定手段１６による固定を補うものであるから、アウターに対する係合部材１７の固定力は、アウターに対する固定手段１６の固定力よりも低くてよい。この固定力は、係合部材１７とパッド１０の表面シート１１との係合力の測定方法と同様の方法で測定される。
【００３１】
以上、本発明をその好ましい実施形態に基づき説明したが、本発明は前記実施形態に制限されない。例えば前記実施形態においては、係合部材１７は、パッド１０の長手方向に一条延びていたが、これに代えて図５に示すように、係合部材１７を、パッド１０の長手方向に延びるように複数個並列配置してもよい。このように係合部材１７を配することで、パッド１０の廃棄形態を一層確実に維持することができる。また、アウターの内側に配されたパッド１０の位置ずれが一層起こりづらくなる。なお同図においては、各係合部材１７の長さ及び幅は何れも同じであるが、各係合部材１７間において長さ及び／又は幅を違えるようにしてもよい。
【実施例】
【００３２】
以下、実施例により本発明を更に詳細に説明する。しかしながら本発明の範囲はかかる実施例に制限されない。
【００３３】
〔実施例１〕
花王社製の尿取りパッドである「リリーフ（登録商標）抗菌消臭さらさら尿取りパッドスーパー安心吸収」の裏面シート上に面ファスナのフック部材を取り付け、図１ないし図３に示す形態の尿取りパッドを得た。尿取りパッドの表面シート１１は芯鞘型複合繊維からなるエアスルー不織布から構成されていた。固定手段１６は、裏面シート上にホットメルト粘着剤を４０ｍｍ×５０ｍｍの矩形状に塗布して形成されていた。パッドの長手方向全長は５４０ｍｍ、フック部材の長さは１２０ｍｍ、幅は１０ｍｍであった。フック部材は、住友３Ｍ社製のフックテープ（１インチ×１インチに１６００ピン）を用いた。フック部材と表面シートとの係合力は１６ｃＮ／１０ｍｍであった。得られた尿取りパッドを図３に示す手順でロール状に巻き上げて廃棄形態を形成したときの該廃棄形態の維持性は良好であった。また、このパッドを、アウターとしての使い捨ておむつ（花王株式会社製のリリーフ（登録商標））の内側に配して装着したところ、装着中にパッドの位置ずれは観察されなかった。
【００３４】
〔実施例２〕
フック部材として、長さ１２０ｍｍ、幅５ｍｍの寸法のものを２本用いる以外は実施例１と同様にして図５に示す形態の尿取りパッドを得た。得られた尿取りパッドを図３に示す手順でロール状に巻き上げて廃棄形態を形成したときの該廃棄形態の維持性は良好であった。このパッドを、アウターとしての使い捨ておむつ（花王株式会社製のリリーフ（登録商標））の内側に配して装着したところ、装着中にパッドの位置ずれは観察されなかった。
【００３５】
〔比較例１〕
フック部材として、長さ９０ｍｍ、幅１０ｍｍの寸法のものを１本用いる以外は実施例１と同様にして図１ないし図３に示す形態の尿取りパッドを得た。得られた尿取りパッドを図３に示す手順でロール状に巻き上げて廃棄形態を形成したところ、巻き上げ状態が解除されてひらいてしまった。
【図面の簡単な説明】
【００３６】
【図１】本発明の尿取りパッドの一実施形態を示す斜視図である。
【図２】図１に示すパッドにおける長手方向中央域のII−II線断面図である。
【図３】図１に示す尿取りパッドを巻き上げて廃棄形態を形成する手順を示す図である。
【図４】図１に示す尿取りパッドをその裏面シート側からみた平面図である。
【図５】本発明の尿取りパッドの別の実施形態を裏面シート側からみた平面図（図４相当図）である。
【符号の説明】
【００３７】
１０  尿取りパッド
１１  表面シート
１２  裏面シート
１３  吸収体
１４  防漏カフ
１５  弾性部材
１６  固定手段
【図１】
2008237231.tif 000003
【図２】
2008237231.tif 000004
【図３】
2008237231.tif 000005
【図４】
2008237231.tif 000006
【図５】
2008237231.tif 000007